(57)【要約】【課題】  歯車を用いなくとも、第１ヒンジシャフトと第２ヒンジシャフトを同期して回転させることができ、ガタを生じされることのない、平行２軸ヒンジを提供せんとする。【解決手段】  連結部材へ取り付けられるブリッジ部材と、このブリッジ部材に対して回転可能かつ平行状態で取り付けられる第１の筐体と第２の筐体のいずれか一方を回転可能に支持する第１ヒンジシャフト及び第１の筐体と第２の筐体のいずれか他方を回転可能に支持する第２ヒンジシャフトと、前記第１及び第２ヒンジシャフトとの間に設けられた同期回転伝達手段とを有し、この同期回転伝達手段を、前記第１及び第２ヒンジシャフトに設けた一対の第１リンクカム部材及び第２リンクカム部材と、この各第１及び第２リンクカム部材と係合し、前記ブリッジ部材にスライド可能に取り付けられたスライド部材とで構成することによって解決した。【選択図】        図５
2012237392.tif 000002
【特許請求の範囲】
【請求項１】
第１の筐体と第２の筐体を開閉可能に連結する平行２軸ヒンジであって、連結部材へ取り付けられるブリッジ部材と、このブリッジ部材に対して回転可能かつ平行状態で取り付けられる前記第１の筐体と第２の筐体のいずれか一方を回転可能に支持する第１ヒンジシャフト及び前記第１の筐体と第２の筐体のいずれか他方を回転可能に支持する第２ヒンジシャフトと、前記第１ヒンジシャフトと第２ヒンジシャフトとの間に設けられた同期回転伝達手段とを有し、この同期回転伝達手段を、前記第１ヒンジシャフト及び第２ヒンジシャフトに設けた一対の第１リンクカム部材及び第２リンクカム部材と、この各第１及び第２リンクカム部材と係合し、前記ブリッジ部材にスライド可能に取り付けられたスライド部材とで構成したことを特徴とする、平行２軸ヒンジ。
【請求項２】
前記スライド部材は、前記ブリッジ部材へ取り付けたガイドシャフトを介して当該ブリッジ部材へスライド可能に取り付けられることを特徴とする、請求項１に記載の平行２軸ヒンジ。
【請求項３】
前記第１及び第２リンクカム部材を前記スライド部材と係合する手段が、それぞれの第１及び第２リンクカム部材に設けた第１及び第２リンクピンと、この各第１及び第２リンクピンと係合する前記スライド部材に設けた第１及び第２係合凹部と、で構成したことを特徴とする、請求項１に記載の平行２軸ヒンジ。
【請求項４】
前記第１ヒンジシャフトと第２ヒンジシャフトは、それぞれに前記ブリッジ部材との間に第１及び第２フリクション機構を有し、この各第１及び第２フリクション機構は、前記各第１ヒンジシャフト及び第２ヒンジシャフトと前記ブリッジ部材との間に、前記ブリッジ部材と圧接状態で前記第１ヒンジシャフトと第２ヒンジシャフトと共に回転するように設けた一対の第１及び第２フリクションワッシャーと、この各第１及び第２フリクションワッシャーと圧接状態で前記第１ヒンジシャフト及び第２ヒンジシャフトへ取り付けられた第１弾性手段及び第２弾性手段と、を有することを特徴とする、請求項１に記載の平行２軸ヒンジ。
【請求項５】
前記第１ヒンジシャフトと第２ヒンジシャフトはそれぞれに前記ブリッジ部材との間にカム付きの第１及び第２フリクション機構を有し、この各カム付きの第１及び第２フリクション機構は、前記ブリッジ部材の前記第１ヒンジシャフト及び第２ヒンジシャフトの各第１及び第２軸受孔の回りに刻設して成る第１固定カム部及び第２固定カム部と、前記各第１ヒンジシャフト及び第２ヒンジシャフトと前記ブリッジ部材との間に、前記第１固定カム部及び第２固定カム部と圧接状態で前記第１ヒンジシャフトと第２ヒンジシャフトと共に回転するように設けた一対の第１カム部材及び第２カム部材と、この各第１カム部材及び第２カム部材と圧接状態で前記第１ヒンジシャフトと第２ヒンジシャフトへ取り付けられた第１弾性手段及び第２弾性手段と、を有することを特徴とする、請求項１に記載の平行２軸ヒンジ。
【請求項６】
請求項１乃至５に各記載の平行２軸ヒンジを用いたことを特徴とする、小型電子機器。
【発明の詳細な説明】
【技術分野】
【０００１】
本発明は、ノートパソコン、携帯電話機、電子手帳、ＰＤＡ、ネットブック等の小型電子機器における第１の筐体である機器本体と、第２の筐体であるディスプレイ部とを互いに開閉可能に連結する平行２軸ヒンジ並びにこの平行２軸ヒンジを備えた小型電子機器に関する。
【背景技術】
【０００２】
２軸ヒンジには、第１ヒンジシャフトと第２ヒンジシャフトを互いに交わる方向へ配置した交叉２軸ヒンジと、互いに平行方向へ配置した平行２軸ヒンジとがあるが、本願発明は後者の平行２軸ヒンジに属する。
【０００３】
この平行２軸ヒンジは、１軸のヒンジに較べて、第１の筐体と第２の筐体を手に持った本を開くように左右均等に開くことができるという利点がある。そこで、第１ヒンジシャフトと第２ヒンジシャフトを同期回転させるために、同期回転伝達手段として歯車を用いたものが下記特許文献１によって公知である。
【先行技術文献】
【特許文献】
【０００４】
【特許文献１】特開２００８−１２１７９５号公報
【発明の概要】
【発明が解決しようとする課題】
【０００５】
この特許文献１に記載の平行２軸ヒンジは、取付部材に対し、第１ヒンジシャフトと第２ヒンジシャフトを平行かつ回転可能に取り付け、この第１ヒンジシャフトに取り付けた第１ブラケットを第１の筐体側へ、第２ヒンジシャフトに取り付けた第２ブラケットを第２の筐体側へ取り付け、第１ヒンジシャフトと第２ヒンジシャフトを同期回転させるために歯車が用いられている。
【０００６】
このように歯車を用いると、動作時にバックラッシュを避けることができない上に、操作時にガタが生じ易く、このガタは筐体が大きくなるにつけて拡大されてしまうといった問題点があった。
【０００７】
本発明は上記問題点を解決しようとするもので、その課題は、歯車を用いなくとも、第１ヒンジシャフトと第２ヒンジシャフトを同期して回転させることができ、ガタを生じさせることのない、平行２軸ヒンジを提供せんとするにある。
【課題を解決するための手段】
【０００８】
上述した目的を達成するために請求項１に記載の本発明は、第１の筐体と第２の筐体を開閉可能に連結する平行２軸ヒンジを、連結部材へ取り付けられるブリッジ部材と、このブリッジ部材に対して回転可能かつ平行状態で取り付けられる前記第１の筐体と第２の筐体のいずれか一方を回転可能に支持する第１ヒンジシャフト及び前記第１の筐体と第２の筐体のいずれか他方を回転可能に支持する第２ヒンジシャフトと、前記第１ヒンジシャフト及び第２ヒンジシャフトとの間に設けられた同期回転伝達手段とを有し、この同期回転伝達手段を、前記第１ヒンジシャフトと第２ヒンジシャフトに設けた一対の第１リンクカム部材及び第２リンクカム部材と、この各第１リンクカム部材及び第２リンクカム部材と係合し、前記ブリッジ部材にスライド可能に取り付けられたスライド部材とで構成したことを特徴とする。
【０００９】
請求項２に記載の本発明は、前記スライド部材を、前記ブリッジ部材へ取り付けたガイドシャフトを介して当該ブリッジ部材へスライド可能に取り付けたことを特徴とする。
【００１０】
請求項３に記載の発明は、前記第１及び第２リンクカム部材が前記スライド部材と係合する手段を、それぞれの第１及び第２リンクカム部材に設けた第１及び第２リンクピンと、この各第１及び第２リンクピンと係合する前記スライド部材に設けた第１及び第２係合凹部とで構成することを特徴とする。
【００１１】
請求項４に記載の本発明は、前記第１ヒンジシャフトと第２ヒンジシャフトのそれぞれと前記ブリッジ部材との間に第１及び第２フリクション機構を有し、この第１及び第２フリクション機構を、前記各第１ヒンジシャフト及び第２ヒンジシャフトと前記ブリッジ部材との間に、前記ブリッジ部材と圧接状態で前記第１ヒンジシャフトと第２ヒンジシャフトと共に回転するように設けた一対の第１及び第２フリクションプレートと、この各第１及び第２フリクションプレートと圧接状態で前記第１ヒンジシャフト及び第２ヒンジシャフトへ取り付けられた第１弾性手段及び第２弾性手段を有するものとしたことを特徴とする。
【００１２】
請求項５に記載の本発明は、前記第１ヒンジシャフトと第２ヒンジシャフトは、それぞれに前記ブリッジ部材との間にカム付きの第１及び第２フリクション機構を有するものとし、この各カム付きの第１及び第２フリクション機構を、前記ブリッジ部材の前記第１ヒンジシャフト及び第２ヒンジシャフトの各第１及び第２軸受孔の回りに刻設して成る第１固定カム部及び第２固定カム部と、前記各第１ヒンジシャフト及び第２ヒンジシャフトと前記ブリッジ部材との間に、前記第１固定カム部及び第２固定カム部と圧接状態で前記第１ヒンジシャフトと第２ヒンジシャフトと共に回転するように設けた一対の第１カム部材及び第２カム部材と、この各第１カム部材及び第２カム部材と圧接状態で前記第１ヒンジシャフトと第２ヒンジシャフトへ取り付けられた第１弾性手段と第２弾性手段とを有することを特徴とする。
【００１３】
請求項６に記載の本発明は、小型電子機器に、前記請求項１乃至５に各記載の平行２軸ヒンジを用いたことを特徴とするものである。
【発明の効果】
【００１４】
本発明は以上のように構成したので、第１の筐体と第２の筐体を相対的に開くと、この第１の筐体と第２の筐体に取り付けた第１ブラケットと第２ブラケットが、各々第１ヒンジシャフトと第２ヒンジシャフトと共にブリッジ部材に対して回転し、その際に第１の筐体と第２の筐体のどちらか一方を主体として開閉させても、第１ヒンジシャフト或は第２ヒンジシャフトの各第１或は第２リンクカム部材がスライド部材をスライドさせるので、第１ヒンジシャフトと第２ヒンジシャフトが同期して回転し、丁度本を開くように第１の筐体と第２の筐体を開くことができるものである。その他の効果は以下の実施例の説明から明らかになろう。
【図面の簡単な説明】
【００１５】
【図１】本発明に係る平行２軸ヒンジを用いたノートパソコンの第１の筐体と第２の筐体の閉成状態の斜視図である。
【図２】本発明に係る平行２軸ヒンジを用いたノートパソコンの第１の筐体と第２の筐体を全開させて見た斜視図である。
【図３】本発明に係る平行２軸ヒンジの動作前の斜視図である。
【図４】本発明に係る平行２軸ヒンジの動作終了時の斜視図である。
【図５】本発明に係る平行２軸ヒンジを一方の側から見た分解斜視図である。
【図６】本発明に係る平行２軸ヒンジを他方の側から見た分解斜視図である。
【図７】本発明に係る平行２軸ヒンジの同期回転伝達手段の動作前の状態を説明する断面図である。
【図８】本発明に係る平行２軸ヒンジの同期回転伝達手段の動作終了時の状態を説明する断面図である。
【図９】本発明に係る平行２軸ヒンジの第１及び第２固定カム部と第１及び第２カム部材の位置関係を説明する説明図であり、（ａ）は動作開始前の位置関係、（ｂ）は動作中の位置関係、（ｃ）は動作終了時の位置関係を、それぞれ説明する説明図である。
【発明を実施するための形態】
【００１６】
以下に本発明の一実施例を図面に基づいて詳細に説明する。尚、以下の説明では本発明をノートパソコンに実施した場合について述べるが、本発明はノートパソコンに限らず、携帯電話機、電子手帳、ＰＤＡ、ネットブック等の小型電子機器に用いることができる。
【００１７】
図面によれば図１と図２において、指示記号１で示したものは、例えば小型電子機器の一例としてのノートパソコンであり、本発明に係る平行２軸ヒンジ２は、図中Ａ視の部分の一方或は双方にキーボード部３ａを設けた第１の筐体である装置本体３（以下、単に第１の筐体という）とディスプレイ部４ａを設けた第２の筐体４を開閉可能に連結するものである。そして、指示記号２ａで示されたものは、平行２軸ヒンジの後述するブリッジ部材を取り付けるための連結部材である。
【００１８】
平行２軸ヒンジ２は、図３乃至図８に示したように、第１の筐体３と第２の筐体４を開閉可能に連結する平行２軸ヒンジ２であって、連結部材２ａへ取り付けられるブリッジ部材５と、このブリッジ部材５に対して回転可能かつ平行状態で取り付けられた第１ヒンジシャフト１０及び第２ヒンジシャフト１１と、この第１ヒンジシャフト１０及び第２ヒンジシャフト１１との間に設けられた同期回転伝達手段Ａとを有し、この同期回転伝達手段Ａを、前記第１ヒンジシャフト１０及び第２ヒンジシャフト１１に設けた一対の第１リンクカム部材７及び第２リンクカム部材８と、この各第１リンクカム部材７及び第２リンクカム部材８と係合し、前記ブリッジ部材５にスライド可能に取り付けられたスライド部材６とで構成されている。
【００１９】
さらに詳しくは、ブリッジ部材５は、軸受プレート部５ａと、この軸受プレート部５ａの上下端部より同一方向へ折り曲げて形成した上部取付プレート部５ｂと、下部取付プレート部５ｃとで構成され、軸受プレート部５ａには、上部取付プレート部５ｂと下部取付プレート部５ｃに対して平行に一対の第１軸受孔５ｄと第２軸受孔５ｅが設けられている。第１軸受孔５ｄと第２軸受孔５ｅの周囲には、当該軸受プレート部５ａに刻設することによって並置して形成させた第１固定カム部１４と第２固定カム部１５が設けられ、この第１固定カム部１４と第２固定カム部１５の間に位置して上下方向にガイド長孔１６が設けられている。さらに、上部取付プレート部５ｂの中央部には円形状の取付孔５ｆが設けられ、下部取付プレート部５ｃの中央部には取付角孔５ｇが設けられると共に、この下部取付プレート部５ｃには、その両端部側に図示してない取付ネジを用いて連結部材２ａへ取り付ける際の取付孔５ｈ、５ｉが設けられている。尚、軸受プレート部５ａの第１軸受孔５ｄと第２軸受孔５ｅの下方に設けられている一対の角孔５ｊ、５ｊは、第１固定カム部１４と第２固定カム部１５を別部材とした場合に、この別部材の固定カム部材を係止するための孔である。
【００２０】
スライド部材６は、略角柱状のもので、その中心部軸方向に四角状のガイド孔６ａが貫通して設けられ、このガイド孔６ａにブリッジ部材５の上部取付プレート部５ｂの取付孔５ｆと下部取付プレート部５ｃの取付角孔５ｇの間に取り付けたガイドシャフト１７を挿通させることにより、上下方向へスライド可能に構成されている。さらに、このスライド部材６にはブリッジ部材５の軸受プレート部５ａに設けたガイド長孔１６に嵌合させたガイドピン部６ｂが一体に設けられると共に、このガイドピン部６ｂの上方左右位置に同一高さと幅の第１係合凹部６ｃ及び第２係合凹部６ｄが設けられている。そして、スライド部材６と第１及び第２リンクカム部材７、８で第１ヒンジシャフト１０と第２ヒンジシャフト１１の同期回転伝達手段Ａを構成している。尚、ガイドピン部６ｂはこれを別部材としても良い。
【００２１】
また、ガイドシャフト１７の両端部は、取付孔５ｆと取付角孔５ｇにかしめることによって固定されると共に、ガイドピン部６ｂがガイド長孔１６を貫通した端部には、取付孔１８aを有する係止用のワッシャー１８が嵌められ、その突出端部をかしめることによって取り付けられることにより、抜け止め規制されている。尚、このワッシャー１８はＥリングその他の係止部材としても良い。
【００２２】
第１ヒンジシャフト１０と第２ヒンジシャフト１１は、左右対称であるが、同一構成のもので、それぞれ第１軸部１０ａ、１１ａと第２軸部１０ｂ、１１ｂを有し、第１軸部１０ａ、１１ａの一側部側には第１フランジ部１０ｃ、１１ｃが設けられると共に、第１軸部１０ａ、１１ａと第２軸部１０ｂ、１１ｂとの間には、外形を変形させた第２フランジ部１０ｄ、１１ｄが設けられている。
【００２３】
第１ヒンジシャフト１０と第２ヒンジシャフト１１の各第１軸部１０ａと１１ａの端部には、断面略楕円形状の変形取付部１０ｅ、１１ｅが設けられると共に、各第２軸部１０ｂ、１１ｂにはそれぞれ断面略楕円形状を呈した第１段部１０ｆ、１１ｆ、第２段部１０ｇ、１１ｇ、及び第３段部１０ｈ、１１ｈが各端部から形成され、第１段部１０ｆ、１１ｆから第３段部１０ｈ、１１ｈに向けて徐々に幅が大きくなるように形成されている。
【００２４】
第１ヒンジシャフト１０と第２ヒンジシャフト１１の各第２軸部１０ｂ、１１ｂの第３段部１０ｈ、１１ｈを、その中心部軸方向に設けた変形挿通孔７ａ、８ａへ挿通係合させて第１リンクピン７ｂと第２リンクピン８ｂを有する一対の第１リンクカム部材７及び第２リンクカム部材８が、各第２フランジ部１０ｄ、１１ｄに接して取り付けられると共に、各第１ヒンジシャフト１０と第２ヒンジシャフト１１は、軸受プレート部５ａに設けた第１及び第２軸受孔５ｄ、５ｅに各第３段部１０ｈ、１１ｈを挿通させることによりブリッジ部材５に対して平行かつ回転可能に取り付けられている。そして、各第１及び第２リンクカム部材７、８の第１リンクピン７ｂ及び第２リンクピン８ｂは、スライド部材６の第１及び第２係合凹部６ｃ、６ｄと係合している。
【００２５】
次に、第１ヒンジシャフト１０と第２ヒンジシャフト１１の第２軸部１０ｂ、１１ｂの側には、例えばカム付きの第１フリクション機構９ａと第２フリクション機構９ｂが設置されている。このカム付きの第１及び第２フリクション機構９ａ、９ｂは、ブリッジ部材５の軸受プレート部５ａの第１及び第２軸受孔５ｄ、５ｅの周囲に設けた第１固定カム部１４及び第２固定カム部１５と、この第１固定カム部１４と第２固定カム部１５に対向する側に第２軸部１０ｂ、１１ｂの第２段部１０ｇ、１１ｇをその中心部軸方向に設けた変形挿通孔１９ｃ、２０ｃへ挿通係合させた第１カム部材１９及び第２カム部材２０と、各第１及び第２カム部材１９、２０に接して第２軸部１０ｂ、１１ｂの第２段部１０ｇ、１１ｇをその中心部軸方向に設けた円形の第１及び第２挿通孔２１ａ、２２ａへ挿通させて設けられた各４枚から成る複数の第１及び第２皿バネから成る第１弾性手段２１及び第２弾性手段２２と、この第１及び第２弾性手段２１、２２に接して第２軸部１０ｂ、１１ｂの第１段部１０ｆ、１１ｆをその中心部軸方向に設けた第１及び第２変形取付孔２３ａ、２４ａへ挿通させ、その突出端をかしめることによって、第１及び第２カム部材１９、２０が、第１及び第２固定カム部１４、１５に圧接するように成した第１及び第２押えワッシャー２３、２４とで構成されている。尚、第１固定カム部１４と第２固定カム部１５には、各々一対ずつの凸部１４ａ、１４ａ・１５ａ、１５ａと凹部１４ｂ、１４ｂ・１５ｂ、１５ｂが設けられると共に、第１カム部材１９と第２カム部材２０の凸部１９ａ、１９ａ・２０ａ、２０ａ側と凹部１９ｂ、１９ｂ・２０ｂ、２０ｂ側とが互いに圧接状態にある。また、第１弾性手段２１と第２弾性手段２２を構成する皿バネの枚数や配置の仕方は、実施例に限定されるものではなく、皿バネに代えてスプリングワッシャーやスプリングその他の弾性手段に代えることができる。
【００２６】
そして、各第１ヒンジシャフト１０と第２ヒンジシャフト１１の各変形取付部１０ｅ、１１ｅには、第１の筐体３側へ取り付けられる第１ブラケット１２と、第２の筐体４側へ取り付けられる第２ブラケット１３が、それぞれ各第１及び第２取付部１２ａ、１３ａに設けた第１及び第２変形取付孔１２ｂ、１３ｂを挿通させて設けられ、その第１及び第２変形取付孔１２ｂ、１３ｂより突出した各端部をかしめることによって第１ヒンジシャフト１０と第２ヒンジシャフト１１に共に回転するように固定されている。尚、第１ブラケット１２と第２ブラケット１３の取付プレート部１２ｃ、１３ｃには、複数の第１取付孔１２ｄと第２取付孔１３ｄが設けられている。
【００２７】
次に、本件発明に係る平行２軸ヒンジ２の作用について説明する。まず、平行２軸ヒンジのブリッジ部材５を連結部材２ａへ取り付け、第１ブラケット１２を第１の筐体３の後端部側に取り付け、第２ブラケット１３を第２の筐体４の後端部側へ取り付ける。第１の筐体３と第２の筐体４を閉じた状態においては、同期回転伝達手段Ａの第１リンクカム部材７と第２リンクカム部材８は、互いの第１及び第２リンクピン７ｂ、８ｂをスライド部材６の第１及び第２係合凹部６ｃ、６ｄと係合させていることにより、スライド部材６を図７に示したように左方向へ押し込んでその始端部側へ位置させている。この状態において、図９（ａ）に示したように、第１固定カム部１４と第２固定カム部１５の凹部１４ｂ、１５ｂ内へ第１及び第２カム部材１９、２０の凸部１９ａ、２０ａが完全に落ち込む手前に位置しているので、第２ヒンジシャフト１１が第２ブラケット１３を介して第２の筐体４を閉成方向へ回転付勢されることによって、第１の筐体３に対する第２の筐体４の閉成状態が維持されている。
【００２８】
尚、第１ブラケット１２と第２ブラケット１３は、前者を第２の筐体４へ、後者を第１の筐体３へ取り付けても良い。また、第１ブラケット１２と第２ブラケット１３は、これらを省略して、第１ヒンジシャフト１０と第２ヒンジシャフト１１を、それぞれ直接第１の筐体３或は第２の筐体４へ取り付けるようにしても良い。
【００２９】
次に、ノーパソコン１を使用すべく、第１の筐体３と第２の筐体４を手に持って本を開くようにして左右へ開くと、第１の筐体３と第２の筐体４のどちらの側に力を加えても、同期回転伝達手段Ａによって、第１ヒンジシャフト１０と第２ヒンジシャフト１１は共に同一回転角度それぞれ反対側へ回転することになる。即ち、第１ヒンジシャフト１０と第２ヒンジシャフト１１のどちらの側に回転トルクを加えても、共に回転する同期回転伝達手段Ａの第１リンクカム部材７或は第２リンクカム部材８によって、スライド部材６が、図８に示したように、上方へスライドして他方の第１リンクカム部材７或は第２リンクカム部材８が第１ヒンジシャフト１０或は第２ヒンジシャフト１１を介して第１ブラケット１２或は第２ブラケット１３を回転させるので、第１の筐体３と第２の筐体４は第１及び第２ヒンジシャフト１０、１１と共に、同じ開角度で開かれて、図８に示したように、左右均等に９０°に開かれた状態となる。この時には、図９（ｃ）に示したように、第１及び第２カム部材１９、２０の凸部１９ａ、２０ａは、第１及び第２固定カム部１４、１５のもう一方の凹部１４ｂ、１５ｂへ完全に落ち込む寸前で停止し、第１の筐体３と第２の筐体４を全開状態でロックする形となる。
【００３０】
それ以外の第１の筐体３と第２の筐体４の中間開閉角度においては、図９（ｂ）に示したように、第１固定カム部１４及び第２固定カム部１５の凸部１４ａ、１５ａと第１及び第２カム部材１９、２０の凸部１９ａ、２０ａ同士が、互いに圧接状態で推移するので、フリクショントルクが発生する。
【００３１】
このようにして、第１の筐体３と第２の筐体４は、閉成状態から本を開くように左右均等に開かれ、同期回転伝達手段Ａとカムを用いた第１及び第２フリクション機構９ａ、９ｂによりガタが生じることが少ないので、スムーズなしっくりとした操作フィーリングを操作者へ与えることができるものである。
【００３２】
その他の実施例として、同期回転伝達手段Ａのスライド部材６に第１及び第２リンクピンを取り付け第１及び第２リンクカム部材７、８の側に前記第１及び第２リンクピンと係合する第１及び第２係合孔或は第１及び第２係合溝を設けるように構成しても良く、さらに、スライド部材６はガイドシャフト１７を省略して、ブリッジ部材５によって抱えるように構成しても良い。さらに、カム付の第１及び第２フリクション機構９ａ、９ｂは、第１及び第２固定カム部１４、１５と第１及び第２カム部材１９、２０を省略して、公知の第１及び第２フリクション機構とすることも可能である。この場合は、第１及び第２カム部材１９、２０をブリッジ部材５の軸受プレート部５ａと圧接する第１及び第２フリクションワッシャーとする公知構成のものとするものである。
【産業上の利用可能性】
【００３３】
本発明は以上のように構成したので、小型電子機器の第１の筐体と第２の筐体を互いに重なり合った閉成状態から、ガタのないしっくりとした操作フィーリングで本を開くように開閉する際の平行２軸ヒンジ並びにこの平行２軸ヒンジを用いた小型電子機器として好適に用いられるものである。
【符号の説明】
【００３４】
Ａ  同期回転伝達手段
１  ノートパソコン
２  平行２軸ヒンジ
２ａ  連結部材
３  第１の筐体
４  第２の筐体
５  ブリッジ部材
５ｄ  第１軸受孔
５ｅ  第２軸受孔
６  スライド部材
６ｃ  第１係合凹部
６ｄ  第２係合凹部
７  第１リンクカム部材
７ｂ  第１リンクピン
８  第２リンクカム部材
８ｂ  第２リンクピン
９ａ  第１フリクション機構
９ｂ  第２フリクション機構
１０  第１ヒンジシャフト
１１  第２ヒンジシャフト
１４  第１固定カム部
１５  第２固定カム部
１７  ガイドシャフト
１９  第１カム部材
２０  第２カム部材
２１  第１弾性手段
２２  第２弾性手段
【図１】
2012237392.tif 000003
【図２】
2012237392.tif 000004
【図３】
2012237392.tif 000005
【図４】
2012237392.tif 000006
【図５】
2012237392.tif 000007
【図６】
2012237392.tif 000008
【図７】
2012237392.tif 000009
【図８】
2012237392.tif 000010
【図９】
2012237392.tif 000011